(57)【要約】【課題】電子式ブレーカにおいて、異常発生により電源が遮断されても異常表示を行なう。【解決手段】電子式ブレーカ１は、負荷３に流れる電流を検出する電流検出部４１と、電流検出部４１による検出電流に基づいて通電異常を判断する異常判断部５１と、漏電電流を検出する漏電電流検出部４２と、漏電電流検出部４２からの信号に基づいて漏電による通電異常を判断する漏電判断部５２と、受電を遮断する引き外しユニット６と、異常判断部５１及び漏電判断部５２からの信号に基づいて通電状況の表示と異常表示を行なう表示ユニット７とを備える。表示ユニット７は、自己保持型可変表示素子から成り、異常表示を行なった後、異常状態の除去に伴う復旧信号を受けるまで異常表示を保持する。電源が遮断されても異常表示が保持されるので、的確な対応を行なうことができる。【選択図】図１
2008198579.tif 000002
【特許請求の範囲】
【請求項１】
負荷に流れる電流を検出する電流検出部と、前記電流検出部による検出電流に基づいて通電異常を判断し、通電異常時には電源からの受電を遮断する引き外し信号を出力する異常判断部と、前記異常判断部から出力される引き外し信号に基づいて、受電を遮断する引き外し機構と、を備えた電子式ブレーカにおいて、
漏電電流を検出する漏電電流検出部と、
前記漏電電流検出部からの信号に基づいて漏電による通電異常を判断し、漏電時には前記引き外し機構に引き外し信号を出力すると共に、漏電信号を出力する漏電判断部と、
前記異常判断部からの通電状況を示す表示信号に基づいて表示を行うと共に、前記漏電判断部から出力される漏電信号に基づいて異常表示を行なう表示ユニットと、を備え、
前記表示ユニットは、自己保持型可変表示素子から成り、異常表示を行なった後、異常状態の除去に伴う復旧信号を受けるまで異常表示を保持することを特徴とする電子式ブレーカ。
【請求項２】
前記漏電判断部は、前記異常判断部の機能を併せ持つ構成としたことを特徴とする請求項１に記載の電子式ブレーカ。
【請求項３】
前記異常判断部は、異常状態に応じた信号を出力することにより前記表示ユニットに異常表示を行なわせることを特徴とする請求項１又は請求項２に記載の電子式ブレーカ。
【請求項４】
前記異常表示は、異常状態に対応する文字、数字又は記号によって表示され、該文字、数字又は記号の説明文が前記表示ユニットの近傍に記されていることを特徴とする請求項１乃至請求項３のいずれか一項に記載の電子式ブレーカ。
【請求項５】
前記異常表示は、異常状態が漏電である場合は、他の異常状態の表示とは異なることを特徴とする請求項１乃至請求項４のいずれか一項に記載の電子式ブレーカ。
【請求項６】
前記表示ユニットは、正常な通電状態時には前記電流検出部による検出電流を基に電流値を含む通電情報を表示し、電源オフ時には通電異常時及び正常時とは異なる情報を表示するように表示が切り替わることを特徴とする請求項１乃至請求項５のいずれか一項に記載の電子式ブレーカ。
【請求項７】
前記電流検出部による検出電流を演算処理することにより全相の最大電流値を求め、前記表示ユニットに表示させることを特徴とする請求項１乃至請求項６のいずれか一項に記載の電子式ブレーカ。
【請求項８】
前記表示ユニットは、通電正常時に前記検出部の各々による検出電流に基づいて複数種類の電流値を切替表示できるようにしたことを特徴とする請求項１乃至請求項７に記載の電子式ブレーカ。
【請求項９】
前記表示ユニットは、電源オフ状態になると、無表示になることを特徴とする請求項１乃至請求項８のいずれか一項に記載の電子式ブレーカ。
【請求項１０】
前記表示ユニットは、前記異常判断により通電異常と判断されたとき、異常原因の表示を行なうと共に、通電正常時とは異なる背景色に切り替わることを特徴とする請求項１乃至請求項９のいずれか一項に記載の電子式ブレーカ。
【請求項１１】
定格電流を選択設定するための可変部を備え、この可変部による設定に応じて前記異常判断部は、その判断の判定基準を変更すると共に、設定された定格電流に基づく信号を前記表示ユニットに出力し、定格電流を表示させることを特徴とする請求項１乃至請求項１０のいずれか一項に記載の電子式ブレーカ。
【発明の詳細な説明】
【技術分野】
【０００１】
本発明は、異常発生時に異常表示を行なう電子式ブレーカに関する。
【背景技術】
【０００２】
従来の電子式ブレーカにおいては、漏電による異常が発生すると、ボタン型の表示器によって漏電が表示されたが、漏電以外の過電流や短絡等の他の異常が発生しても、異常内容が表示されず対応に時間を要した。
【０００３】
また、既存の電子式ブレーカに後付けし、検出した電流や電圧を基に演算を行い、通電情報を表示する通電情報計測装置が知られている（例えば、特許文献１参照）。
【０００４】
また、検出した電流や電圧を基に演算を行い、通電情報を別個の表示器に出力する電子式ブレーカが知られている（例えば、特許文献２参照）。
【０００５】
しかしながら、上記特許文献１に示されるような通電情報計測装置においては、異常発生により電源が遮断され表示が消えるので、異常内容を表示することができない。また、上記特許文献２に示されるような電子式ブレーカにおいても、異常発生により電源が遮断されると信号を出力できず、異常内容を表示することができない。
【特許文献１】特開平１１−８９３０号公報
【特許文献２】特開２００２−９５１５２号公報
【発明の開示】
【発明が解決しようとする課題】
【０００６】
本発明は、上記従来の問題を解決するためになされたものであり、異常発生により電源が遮断されても異常表示を行なう電子式ブレーカを提供することを目的とする。
【課題を解決するための手段】
【０００７】
上記目的を達成するために請求項１の発明は、負荷に流れる電流を検出する電流検出部と、前記電流検出部による検出電流に基づいて通電異常を判断し、通電異常時には電源からの受電を遮断する引き外し信号を出力する異常判断部と、前記異常判断部から出力される引き外し信号に基づいて、受電を遮断する引き外し機構と、を備えた電子式ブレーカにおいて、漏電電流を検出する漏電電流検出部と、前記漏電電流検出部からの信号に基づいて漏電による通電異常を判断し、漏電時には前記引き外し機構に引き外し信号を出力すると共に、漏電信号を出力する漏電判断部と、前記異常判断部からの通電状況を示す表示信号に基づいて表示を行うと共に、前記漏電判断部から出力される漏電信号に基づいて異常表示を行なう表示ユニットと、を備え、前記表示ユニットは、自己保持型可変表示素子から成り、異常表示を行なった後、異常状態の除去に伴う復旧信号を受けるまで異常表示を保持するものである。
【０００８】
請求項２の発明は、請求項１に記載の電子式ブレーカにおいて、前記漏電判断部は、前記異常判断部の機能を併せ持つ構成としたものである。
【０００９】
請求項３の発明は、請求項１又は請求項２に記載の電子式ブレーカにおいて、前記異常判断部は、異常状態に応じた信号を出力することにより前記表示ユニットに異常表示を行なわせるものである。
【００１０】
請求項４の発明は、請求項１乃至請求項３のいずれか一項に記載の電子式ブレーカにおいて、前記異常表示は、異常状態に対応する文字、数字又は記号によって表示され、該文字、数字又は記号の説明文が前記表示ユニットの近傍に記されているものである。
【００１１】
請求項５の発明は、請求項１乃至請求項４のいずれか一項に記載の電子式ブレーカにおいて、前記異常表示は、異常状態が漏電である場合は、他の異常状態の表示とは異なるものである。
【００１２】
請求項６の発明は、請求項１乃至請求項５のいずれか一項に記載の電子式ブレーカにおいて、前記表示ユニットは、正常な通電状態時には前記電流検出部による検出電流を基に電流値を含む通電情報を表示し、電源オフ時には通電異常時及び正常時とは異なる情報を表示するように表示が切り替わるものである。
【００１３】
請求項７の発明は、請求項１乃至請求項６のいずれか一項に記載の電子式ブレーカにおいて、前記電流検出部による検出電流を演算処理することにより全相の最大電流値を求め、前記表示ユニットに表示させるものである。
【００１４】
請求項８の発明は、請求項１乃至請求項７に記載の電子式ブレーカにおいて、前記表示ユニットは、通電正常時に前記検出部の各々による検出電流に基づいて複数種類の電流値を切替表示できるようにしたものである。
【００１５】
請求項９の発明は、請求項１乃至請求項８のいずれか一項に記載の電子式ブレーカにおいて、前記表示ユニットは、電源オフ状態になると、無表示になるものである。
【００１６】
請求項１０の発明は、請求項１乃至請求項９のいずれか一項に記載の電子式ブレーカにおいて、前記表示ユニットは、前記異常判断により通電異常と判断されたとき、異常原因の表示を行なうと共に、通電正常時とは異なる背景色に切り替わるものである。
【００１７】
請求項１１の発明は、請求項１乃至請求項１０のいずれか一項に記載の電子式ブレーカにおいて、定格電流を選択設定するための可変部を備え、この可変部による設定に応じて前記異常判断部は、その判断の判定基準を変更すると共に、設定された定格電流に基づく信号を前記表示ユニットに出力し、定格電流を表示させるものである。
【発明の効果】
【００１８】
請求項１の発明によれば、電源が遮断されても異常表示が保持されるので的確な対応を行なうことができ、また、消費電力を抑制することができる。
【００１９】
請求項２の発明によれば、漏電判断部と異常判断部とが一つになるので、電子式ブレーカを小型化することができる。
【００２０】
請求項３の発明によれば、異常状態の種類が直ぐに分かるので、的確な対応を行なうことができる。
【００２１】
請求項４の発明によれば、表示ユニットの表示スペースを小さくすることができると共に、異常状態の種類が直ぐに分かるので、的確な対応を行なうことができる。
【００２２】
請求項５の発明によれば、人体に最も危険な漏電を直ぐに認識することができるので、的確な対応を行なうことができ、安全性が向上する。
【００２３】
請求項６の発明によれば、通電異常時だけでなく、正常時や電源オフ時もそれぞれに対応した表示がされるので、通電状況が分かり易い。また、一つの表示ユニットであるので電子式ブレーカを小型化することができる。
【００２４】
請求項７の発明によれば、通電状況が分かり、危険な状態か否かを直ぐに判断することができる。
【００２５】
請求項８の発明によれば、種々の通電情報が表示されるので、通電状況が分かり易い。
【００２６】
請求項９の発明によれば、電源オフが明確になり、通電状況が分かり易い。
【００２７】
請求項１０の発明によれば、通電異常の発生が明確になり、通電状況が分かり易いので、的確な対応を行なうことができる。
【００２８】
請求項１１の発明によれば、容易に、また、確実に変更された定格電流値を把握することができるので、危険な状態か否かを的確に判断することができる。また、シール添付等による定格電流値の表示の手間を省くことができる。
【発明を実施するための最良の形態】
【００２９】
本発明の第１の実施形態に係る電子式ブレーカについて図面を参照して説明する。図１は、電子式ブレーカの構成を示す。電子式ブレーカ１は、電源２から負荷３への配線上に、電流を検出する電流検出部４１と、漏電を検出する漏電電流検出部４２と、電圧や振動等を検出する電圧等検出部４３と、駆動電力を取得する電源取得部４４とを備えている。また、電子式ブレーカ１は、各検出部からの信号に基づいて通電状況を判断する判断部５と、判断部５からの引き外し信号に基づいて電源２からの受電を遮断する引き外しユニット６と、判断部５からの表示信号に基づいて通電状況を表示する表示ユニット７とを備えている。
【００３０】
判断部５は、異常判断部５１と、漏電判断部５２とを有しており、異常判断部５１は、電流検出部４１による検出電流に基づいて通電状況を示す表示信号を出力すると共に、通電異常を判断し、通電異常と判断したときは、引き外し信号及び異常状態に応じた信号を出力する。漏電判断部５２は、漏電電流検出部４２からの信号に基づいて漏電状況を示す表示信号を出力すると共に、漏電による通電異常を判断し、漏電と判断したときは、引き外し信号と漏電信号とを出力する。判断部５は、異常判断部５１及び漏電判断部５２からの表示信号以外にも、電圧等検出部４３からの信号等に基づき電圧や電力等の通電情報の表示信号を出力する。
【００３１】
図２（ａ）は、電子式ブレーカ１の通電正常時の外観を、図２（ｂ）は、通電異常時の外観を、図２（ｃ）は、通電異常時の表示ユニット７の表示例を示す。図３（ａ）（ｂ）（ｃ）は表示ユニット７の表示例であって、それぞれ通電正常時、通電異常時、及び電源オフ時の表示を示す。表示ユニット７は、電源がオフになっても表示を保持する自己保持型可変表示素子として、例えば、電子ペーパ７１から成る。通電正常時には、スイッチレバー６１がオン位置である上部に位置し、電子ペーパ７１は判断部５からの表示信号に基づき、電流値等の通電情報を表示する。通電異常時には、スイッチレバー６１はトリップして中段部に移動し、電子ペーパ７１は表示の背景色を正常時と異ならせ、異常状態に応じた異常記号を表示する。特に漏電時には、電子ペーパ７１は、他の通電異常時とは異なる背景色によって表示する。電源オフ時には電子ペーパ７１は無表示になる。
【００３２】
電子ペーパ７１の近傍には、各異常記号が示す異常状態の説明文７２が記されている。異常記号は、例えば記号Ｅ１が漏電を、記号Ｅ２が過電流を、記号Ｅ３が短絡を、記号Ｅ４が中性線欠相を示す。
【００３３】
上記のように構成された電子式ブレーカ１の動作について説明する。電流検出部４１は負荷３へ流れる電流を検出し、検出信号を異常判断部５１へ出力する。異常判断部５１は、検出電流と予め定められた定格電流値等に基づいて演算を行い、過電流等の通電異常を判断する。異常判断部５１は、正常な通電状態と判断したときには、電流値と定格電流値等の表示信号を表示ユニット７に出力する。異常判断部５１は、過電流等の通電異常が発生したと判断すると、引き外し信号を引き外しユニット６に出力して、電源２からの受電を遮断させると共に、異常状態に応じた信号を表示ユニット７に出力する。
【００３４】
漏電電流検出部４２は漏電を検出し、検出信号を漏電判断部５２へ出力する。漏電判断部５２は、漏電電流検出部４２からの検出信号に基づいて漏電による通電異常を判断し、正常時には漏洩電流の表示信号を表示ユニット７に出力する。漏電による通電異常が発生したと判断すると、漏電判断部５２は引き外し信号を引き外しユニット６に出力して、電源２からの受電を遮断させると共に、漏電信号を表示ユニット７に出力する。
【００３５】
電圧等検出部４３は電圧等を検出し、検出信号を判断部５へ出力する。判断部５は、電圧等検出部４３からの検出信号や、電流検出部４１及び漏電電流検出部４２からの表示信号に基づいて演算を行い、電圧や電力等の通電情報の表示信号を表示ユニット７に出力する。
【００３６】
表示ユニット７は、通電正常時には、判断部５からの表示信号に基づき、電流値と定格電流値等の通電情報を電子ペーパ７１に表示する。通電異常時には、異常判断部５１からの異常状態に応じた信号、及び漏電判断部５２からの漏電信号に基づいて、異常状態に対応する異常記号と定格電流値を電子ペーパ７１に表示し、引き外しユニット６によって受電が遮断されても表示を保持する。そして、ブレーカの再投入や、リセットボタン（図示なし）により異常状態が除去され、判断部５から復旧信号を受けるまで異常表示を保持する。
【００３７】
上述したように本実施形態の電子式ブレーカ１によれば、通電異常により受電が遮断されても、電子ペーパ７１により異常表示が保持され、的確な対応を行なうことができると共に、表示による消費電力を抑制することができる。また、異常状態に応じた表示がされ、異常状態の種類が直ぐに分かるので、的確な対応を行なうことができる。また、異常状態が記号によって表示されるので表示ユニット７の表示スペースを小さくすることができると共に、異常記号の説明が電子ペーパ７１の近傍に記されており、異常状態の種類が直ぐに分かるので、的確な対応を行なうことができる。
【００３８】
通電異常時の電子ペーパ７１の背景色が通電正常時とは異なるので、通電異常の発生が明確になり、通電状況が分かり易いので、的確な対応を行なうことができる。特に漏電時には他の通電異常時の背景色と異なり、人体に最も危険な漏電を直ぐに認識することができるので、的確な対応を行なうことができ、安全性が向上する。また、電源オフ時には無表示になり、通電正常時や通電異常時と表示が異なるので、電源オフが分かり易い。
【００３９】
異常判断部５１は、通電正常時に、電流検出部４１による検出電流を演算処理することにより、全相の最大電流値を求め、電子ペーパ７１に表示させるようにしてもよい。最大電流値と定格電流値との比較により通電状況が分かり、危険な状態か否かを直ぐに判断することができる。
【００４０】
表示ユニット７は、通電正常時に、電流検出部４１と漏電電流検出部４２による検出電流と、電圧等検出部４３からの信号に基づいて、各相電流値、平均電流値、漏洩電流値等の通電情報を、時間毎に又はユーザの表示切替スイッチ（図示なし）の操作によって切り替えて表示するようにしてもよい。種々の通電情報が表示されるので、通電状況が分かり易い。
【００４１】
本実施形態の電子式ブレーカ１において、電子ペーパ７１の通電正常時と通電異常時の背景色を同じにしてもよい。このことにより、電子ペーパ７１を動作させるプログラムの作成が容易になる。
【００４２】
本発明の第２の実施形態による電子式ブレーカについて説明する。本実施形態の電子式ブレーカは、図示しないが、第１の実施形態の電子式ブレーカ１において、漏電判断部５２が異常判断部５１の機能を併せ持つ構成である。漏電判断部５２と異常判断部５１とが一つになるので、電子式ブレーカ１を小型化することができる。
【００４３】
本発明の第３の実施形態による電子式ブレーカについて説明する。図４は電子式ブレーカの外観を示す。本実施形態の電子式ブレーカ１は、表示ユニット７に漏電を報知するＬＥＤ７３を備えている。漏電判断部５２は、漏電が発生したと判断すると、引き外し信号を引き外しユニット６に出力し、漏電信号を表示ユニット７に出力して、電子ペーパ７１に漏電を表示させると共にＬＥＤ７３を点灯させる。漏電を直ぐに認識することができるので、的確な対応を行なうことができ、安全性が向上する。
【００４４】
本発明の第４の実施形態による電子式ブレーカについて説明する。本実施形態の電子式ブレーカは、図示しないが第１の実施形態の電子式ブレーカ１において、バッテリーを備えており、電子ペーパ７１は、電源がオフになると、バッテリーの電源により、例えば全面を青色で表示すること等により、通電正常時及び通電異常時と異なる表示を行なう。電源オフが明確になり、通電状況が分かり易い。
【００４５】
本発明の第５の実施形態による電子式ブレーカについて説明する。図５は電子式ブレーカの外観を示す。本実施形態における電子式ブレーカ１は、ユーザが定格電流を選択するための可変部７４を備えている。可変部７４が押操作されると、定格電流が予め定められた複数の値に順に変更される。ユーザが可変部７４の操作によって定格電流を変更すると、異常判断部５１は、通電異常の判断基準を変更し、設定された定格電流に基づく信号を電子ペーパ７１に出力し、定格電流値を表示する。図６は従来の電子式ブレーカのスイッチレバーの外観を示す。従来の電子式ブレーカ１０１では、定格電流値をスイッチレバー１６１の頂部Ａや下方Ｂにシール等により表示していたが、本実施形態の電子式ブレーカ１によれば、容易に、また、確実に変更された定格電流値を把握することができるので、危険な状態か否かを的確に判断することができる。また、シール添付等による定格電流値の表示の手間を省くことができる。
【００４６】
なお、本発明は、上記各種実施形態の構成に限られず、発明の趣旨を変更しない範囲で種々の変形が可能である。例えば自己保持型可変表示素子は、例えば、メモリ性コレスティックＬＣＤでもよい。また、通電情報とは、電流値、定格電流値、電力値、及び漏洩電流値等の通電に関する種々の情報をいう。
【図面の簡単な説明】
【００４７】
【図１】本発明の第１の実施形態に係る電子式ブレーカの構成図。
【図２】（ａ）は同電子式ブレーカの通電正常時の斜視図、（ｂ）は同電子式ブレーカの通電異常時の斜視図、（ｃ）は同電子式ブレーカの表示ユニットの表示例を示す斜視図。
【図３】（ａ）は同電子式ブレーカの表示ユニットの通電正常時の表示例を示す図、（ｂ）は通電異常時の表示例を示す図、（ｃ）は電源オフ時の表示例を示す図。
【図４】本発明の第３の実施形態に係る電子式ブレーカの斜視図。
【図５】本発明の第５の実施形態に係る電子式ブレーカの斜視図。
【図６】従来の電子式ブレーカのスイッチレバーの斜視図。
【符号の説明】
【００４８】
１  電子式ブレーカ
２  電源
３  負荷
４１  電流検出部
４２  漏電電流検出部
５１  異常判断部
５２  漏電判断部
６  引き外しユニット（引き外し機構）
７  表示ユニット
７２  説明文
７４  可変部
【図１】
2008198579.tif 000003
【図２】
2008198579.tif 000004
【図３】
2008198579.tif 000005
【図４】
2008198579.tif 000006
【図５】
2008198579.tif 000007
【図６】
2008198579.tif 000008